(57)【特許請求の範囲】
【請求項１】
プラスチック、厚紙、およびそれらの組み合わせからなる群から選択される材料を含んでなるカートンパッケージであって、第一輻射物質特性を有する顆粒物質と、
該顆粒物質が視認可能な開口部を有してなる、前記顆粒物質を貯蔵する容器と、
該容器内の少なくとも一部に配設され、前記顆粒物質の第一輻射物質特性の既定シフトを生じるように選択される第一輻射構造特性を有してなる輻射構造と、
を含んでなり、第一輻射構造特性が輻射構造の分光光度曲線であり、輻射構造の分光光度曲線が４００〜５００ｎｍの波長でピーク反射率を有しており、顆粒物質の第一輻射物質特性が顆粒物質の分光光度曲線である、パッケージ。
【請求項２】
輻射構造が、容器の内側の少なくとも一部へ接着されたライナーである、請求項１に記載のパッケージ。
【請求項３】
顆粒物質が、０〜５％の蛍光増白剤を有する洗濯洗剤である、請求項１または２に記載のパッケージ。
【請求項４】
輻射構造が、顆粒物質の第二輻射物質特性の既定シフトを生じるように選択される、第二輻射構造特性を有している、請求項３に記載のパッケージ。
【請求項５】
顆粒物質の第二輻射物質特性が、その顆粒物質の光度である、請求項４に記載のパッケージ。
【請求項６】
顆粒物質の光度が、輻射構造により少なくとも１０％高められてなる、請求項５に記載のパッケージ。
【請求項７】
輻射構造が、蛍光増白剤を励起して可視光を放射させる少なくとも１つの紫外線波長の少なくとも２５％を反射する、請求項３に記載のパッケージ。
【請求項８】
前記材料が厚紙を含んでなる、請求項１〜７のいずれか一項に記載のパッケージ。
【請求項９】
前記材料がラミネートされた厚紙を含んでなる、請求項８に記載のパッケージ。
【請求項１０】
防湿物質をさらに含んでなり、防湿物質が厚紙にラミネートされてなる、請求項８に記載のパッケージ。
【請求項１１】
防湿物質をさらに含んでなり、防湿物質が厚紙にコートされてなる、請求項８に記載のパッケージ。
【請求項１２】
顆粒物質が顆粒洗濯洗剤を含んでなる、請求項１〜１１のいずれか一項に記載のパッケージ。
【発明の詳細な説明】
【０００１】
【発明の技術分野】
本発明は顆粒物質用のパッケージの分野、更に詳しくは貯蔵された顆粒物質の視覚的外観を改善するパッケージの分野に関する。
【０００２】
【発明の背景】
洗濯洗剤のような顆粒物質を貯蔵するための厚紙カートンは当業界で公知である。これらのカートンは、顆粒物質を見ながら取り出せる開口部を有した閉鎖下部容器からなる。再閉鎖しうる蓋が開口部を閉じて、環境から容器を封じ込めている。しばしば、カートンに貯蔵された顆粒物質の効力のユーザー認識は、顆粒物質の視覚的外観に基づいている。例えば、顆粒洗濯洗剤のユーザーは洗剤の色から洗剤の有効性を多々判断しており、色が白いほど、洗剤は有効であると認識される。染料および蛍光増白剤が洗濯洗剤の色を調整するために用いうるが、様々なタイプのライティングもなお洗濯顆粒の視覚的外観に影響を与えることがある。更には、どのような色または色合いが有効な洗濯洗剤を表わすと認識されるかについても、地理間に差異がありうる。
【０００３】
このように、より視覚的に快い顆粒物質を提供するために、顆粒物質の組成またはレシピを変えることなく洗濯顆粒の視覚的外観を調整しうる、簡単な構造および方法について必要性が存在している。更には、顆粒物質のいくつかの輻射特性のうちいずれか１つを変えることにより、顆粒物質の視覚的外観を調整するための簡単な構造および方法を提供する必要性が存在している。更に、容器に貯蔵された２種以上の顆粒物質の輻射特性をシフトしうる構造および方法を提供するための必要性が存在している。
【０００４】
【発明の要旨】
洗濯洗剤のような顆粒物質用のパッケージが提供される。そのパッケージは、顆粒物質を貯蔵するための閉鎖下部容器、および顆粒物質が視認可能な開口部を有している。パッケージは、ヒンジで容器へ接着された蓋により、再閉鎖可能なように密封することができる。厚紙ライナーのような輻射構造が、顆粒物質の接触する容器内の少くとも一部に設けられている。輻射構造は輻射構造の分光光度曲線のような輻射構造特性を有しており、これは顆粒物質の分光光度曲線におけるシフトのような顆粒物質の輻射物質特性の既定シフトを生じるように選択される。
【０００５】
輻射構造の分光光度曲線は、好ましくは約４００ｎｍの波長〜約５００ｎｍの波長でピーク反射率を有している。パッケージに貯蔵される顆粒物質の分光光度プロットは好ましくは約７〜約９のＣＩＥ１９７６カラースケールＬ＊値、約−１〜約＋１のａ＊値および約−８〜約−１０のｂ＊値を有しており、顆粒物質の少くとも１つの既定波長の光度は好ましくは輻射構造で少くとも約１０％増加している。蛍光増白剤を含んだ洗濯洗剤の場合、輻射構造は蛍光増白剤を励起して可視光を放射させる少くとも１つの紫外線波長の少くとも約２５％を反射する。
【０００６】
【好ましい態様の詳細な説明】
本発明の好ましい態様について詳しく言及されるが、その例は添付図面で示されており、そこでは同じ数字は図全体で同じものを表わし、同じ最終二桁数値（例えば、２０および１２０）を有する参照番号は類似したものを表わしている。以下で更に詳しく記載されているように、本発明は、貯蔵される顆粒物質の視覚的外観を改善するためにパッケージの内側の少くとも一部に設けられるライナー、コーティングまたはそれらの組合せのような輻射構造を有した、顆粒物質を貯蔵するためのパッケージに関する。本発明に従い作製された例示カートンまたはパッケージ２０は図１〜３で示されている。パッケージ２０は蓋２１を閉鎖下部容器２２と連結させた平行六面体カートンとして示されている。容器２２はベース２４およびサイドパネル２６、２８、３０および３２から形成されている。開口部３３は容器２２の上部に設けられている。洗濯洗剤を貯蔵するパッケージ２０では、開口部３３は約２４００〜約１０７００ｃｍ３の容量を有するパッケージで各々約１６０〜約４７０ｃｍ２の面積を好ましくは有している。容器２２内に貯蔵された顆粒物質３４は、蓋２１が持ち上げられた位置にあるとき、開口部３３から見ながら取り出せる。蓋、ベースおよびサイドパネルは各々内および外表面を有しており、内表面はパッケージ２０の内側に設けられ、外表面はパッケージの外側に設けられる（外表面のみが図１でみられる）。蓋２１および容器２２は、プラスチック、厚紙、または防湿物質、例えばポリエチレン、ポリプロピレン、ワニスまたは当業界で知られる他の耐湿物質でラミネートもしくはコートされた厚紙を含めて、様々な物質から形成しうるが、それらに限定されない。本発明は説明を容易にするために例示パッケージ２０について以下で記載されているが、本発明は参考のためここに完全に組み込まれるＵＳ特許５，７１１，４７６で記載されたような他の成形パッケージ、およびバッグ、ポーチなどのようなフレキシブルパッケージ向けに改変してもよいことは明らかであろう。更に、本発明は、１以上の湾曲または曲線パネルを有したパッケージ、並びにトップフィル(top fill)およびサイドフィル(side fill)パッケージとして用いてもよい。
【０００７】
蓋２２はサイド蓋フラップ４０および４２、トップ蓋フラップ４４、フロント蓋フラップ４６からなる。蓋２２はヒンジ４８でサイドパネル３２に接続されて、トップ蓋フラップ４４とサイドパネル３２との間に設けられているため、蓋２２は上げたり下げたりすることで、容器２１の内側を環境に曝したりまたはそこから封じることができる。明らかなように、ヒンジ４８は、当業界で公知のように、蓋２２およびサイドパネル３２で一体的に形成しても、またはセパレート構造として形成してもよい。蓋２２が閉じたまたは下げた位置にあるとき、サイドおよびフロント蓋フラップ４０、４２および４６はサイドパネル２６、２８および３０と各々重なり合う。蓋２２をカートンの上部に設けたパッケージ２０が図１で示されているが、蓋２２を他の位置に形成しても、複数の蓋を用意しても、他の蓋形状にしてもよいと考えられる。容器２１の蓋および様々なパネルは、当業界で知られているように形成しうる。加えて、容器２１および蓋２２は、蓋および容器をしっかり再閉鎖しうるように、様々なクロージャー構造をとることができる。
【０００８】
パッケージ２０は、好ましくは粉末または顆粒物質３４を貯蔵するために用いられ（図２および３）、更に好ましくは洗濯洗剤または他のクリーニング製品を貯蔵するために用いられる。最も好ましくは、パッケージ２０は１種以上の蛍光増白剤または蛍光ホワイトナーを含有した洗濯洗剤を貯蔵するために用いられる。本発明の目的にとり、“蛍光増白剤”および“蛍光ホワイトナー”という用語は互換的に用いられ、日光スペクトルの非可視紫外（ＵＶ）部分を吸収して、このエネルギーをそのスペクトルの長波長側可視部分に変換する有機化合物を意味している。したがって、蛍光ホワイトニングでは光の追加をベースにしているが、“ブルーイング”(blueing)のような古い方法はテクスタイルへの青色または青紫色染料の添加による光の減衰により行われている。
【０００９】
ここで開示された蛍光増白剤は蛍光により追加の可視光を生じる。１種以上の蛍光増白剤の存在は顆粒物質の白さを高めうることから、蛍光増白剤は処理布帛の向上のためのみならず、洗濯洗剤組成物自体に美質をもたらすためにも加えられる。一方、顆粒物質は添加成分が存在する視覚的シグナルを含んでいてもよい。例えば、小さな着色不活性スペクルは、組成物がブリーチを含有していることを消費者へ知らせるために、顆粒物質へ加えてよい。蛍光増白剤の存在は、洗剤の白い“バックグラウンド”と着色スペクルとのコントラストを高めて、着色インジケーターの使用量を減らすように働ける。存在するとき、本発明の組成物は約０．０１重量％から、約５％、好ましくは約２．５％、更に好ましくは約２％の１種以上の蛍光増白剤を含む。
【００１０】
典型的には小さな高蛍光分子から構成され、蛍光増白剤は主にコア有機構造の水溶性増加を促すように修飾されるが、しかしながら蛍光増白剤効果はポリマー物質、特に１９９８年３月１７日付で発行されたRohrbaughらのＵＳ５，７２８，６７１および１９９８年１１月１０日付で発行されたRohrbaughらのＵＳ５，８３４，４１２で開示されたような蛍光ホワイトニング基を有する汚れ放出ポリマーによりもたらされることもあり、双方の開示とも参考のためここに組み込まれる。
【００１１】
以下は顆粒物質３４で使用に適した蛍光ホワイトナー剤の非制限例である：
ａ）モノまたはポリスルホン化されていることもあるジスチリルビフェニル（ＤＳＢＰ）蛍光増白剤；そのＤＳＢＰ増白剤は下記式を有している：
【化１】
0004405091.tif 000002
上記式中各Ｒ１は独立して水素、‐ＳＯ３Ｍ、‐ＣＮ、Ｃｌ、ＯＣＨ３、‐Ｃ（Ｏ）ＯＣＨ３、‐ＳＯ２Ｎ（Ｒ２）２、‐Ｃ（Ｏ）Ｎ（Ｒ２）２およびそれらの混合物である；各Ｒ２は独立してＣ１‐Ｃ８アルキルであり、Ｍは水素または塩形成カチオン、好ましくはナトリウム、カリウム、リチウムおよびそれらの混合物である；但し少くとも１つのＲ１単位は‐ＳＯ３Ｍであり、ここでＭは塩形成カチオンである。ＤＳＢＰ蛍光増白剤の非制限例には、Ciba-Geigy市販のTinopal CBS-XＲがある。
【００１２】
ｂ）モノまたはポリスルホン化されていることもあるトリアジニルスチルベン蛍光増白剤；そのトリアジニル増白剤は下記式を有している：
【化２】
0004405091.tif 000003
上記式中各Ｒ３は独立して下記からなる群より選択される：
ｉ）下記式を有するフェニルアミノ：
【化３】
0004405091.tif 000004
ii）下記式を有するスルホニル置換フェニルアミノ：
【化４】
0004405091.tif 000005
iii）下記式を有するジスルホニル置換フェニルアミノ：
【化５】
0004405091.tif 000006
iv）下記式を有するカルボニル置換フェニルアミノ：
【化６】
0004405091.tif 000007
ｖ）下記式を有するモルホリニル：
【化７】
0004405091.tif 000008
vi）下記式を有するアルキレンメトキシアミノ：
‐ＮＨ（ＣＨ２）2-3ＯＣＨ３
vii)２‐ヒドロキシエチルアミノ
viii)ジ‐（２‐ヒドロキシエチル）アミノ
ix）クロロ
ｘ）水素
xi）アミノ
xii）メトキシ
xiii）アルキレンスルホニルアミノ
xiv）‐ＮＨＲ４
xv）‐Ｎ（Ｒ４）２
上記式中各Ｒ４は独立してＣ１‐Ｃ８アルキルであり、Ｍは水素または塩形成カチオン、好ましくはナトリウム、カリウム、リチウムおよびそれらの混合物である。トリアジニルスチルベン蛍光増白剤の非制限例には、Ciba-Geigy市販のTinopal 5-BMXＲがある。参考のためここに組み込まれる１９７６年５月４日付で発行されたFringeliのＵＳ３，９５４，７４０参照
【００１３】
ｃ）モノまたはポリスルホン化されていることもあるトリアゾリルスチルベン蛍光増白剤；そのトリアゾリル増白剤は下記式を有している：
【化８】
0004405091.tif 000009
上記式中各Ｒ５およびＲ６は独立して水素、塩素、‐ＮＨＣＨ３、‐Ｎ（ＣＨ３）２、‐ＳＯ３Ｍ、‐ＳＯ３ＮＨ２、‐ＳＯ３Ｎ（Ｒ７）２、‐ＳＯ３Ｃ６Ｈ５、‐ＯＣＨ３、‐ＣＮ、‐ＣＯＮ（Ｒ７）２およびそれらの混合物からなる群より選択される；各Ｒ７は独立してＣ１‐Ｃ８アルキルであり、Ｍは水素または塩形成カチオン、好ましくはナトリウム、カリウム、リチウムおよびそれらの混合物である。トリアジニルスチルベン蛍光増白剤の非制限例には、Mobay市販のBlankophor BHCＲがある。
【００１４】
ｄ）モノまたはポリスルホン化されていることもあるナフトトリアゾリルスチルベン蛍光増白剤；そのナフトトリアゾリル増白剤は下記式を有している：
【化９】
0004405091.tif 000010
上記式中Ｒ８は水素、‐ＳＯ３Ｈ、‐ＳＯ３ＮＨ２、‐ＳＯ３Ｃ６Ｈ５、‐ＣＮおよびそれらの混合物からなる群より選択される；Ｒ９は水素、‐ＳＯ３Ｍ、‐ＣＮ、塩素、‐ＯＣＨ３、‐ＮＨＣＨ３、‐Ｎ（Ｒ１１）２、‐ＳＯ３ＮＨ２、‐ＳＯ３Ｃ６Ｈ５、‐ＳＯ３Ｎ（Ｒ１１）２、‐ＣＯ２ＣＨ３、‐ＣＯＮ（Ｒ１１）２およびそれらの混合物からなる群より選択される；Ｒ１０は水素、‐ＳＯ３Ｈ、‐ＯＣＨ３およびそれらの混合物からなる群より選択される；各Ｒ１１は独立してＣ１‐Ｃ８アルキルであり、Ｍは水素または塩形成カチオン、好ましくはナトリウム、カリウム、リチウムおよびそれらの混合物である；但し少くとも１つのＲ８、Ｒ９またはＲ１０は‐ＳＯ３Ｍである。ナフトトリアゾリルスチルベン蛍光増白剤の非制限例には、Ciba-Geigy市販のTinopal RBSＲがある。
【００１５】
ｅ）下記式を有するジアリールピラゾリン類：
【化１０】
0004405091.tif 000011
上記式中各Ｒ１２は独立して水素、‐ＳＯ３Ｍ、‐ＣＮ、塩素、‐ＯＣＨ３、‐ＮＨＣＨ３、‐Ｎ（Ｒ１４）２、‐ＳＯ３ＮＨ２、‐ＳＯ３Ｃ６Ｈ５、‐ＳＯ３Ｎ（Ｒ１４）２、‐ＣＯ２ＣＨ３、‐ＣＯＮ（Ｒ１４）２およびそれらの混合物である；各Ｒ１３は独立して水素、Ｃ１‐Ｃ８アルキル、アリールおよびそれらの混合物であり、好ましいアリールは置換および非置換フェニル、ビフェニル、ナフチルであり、その置換は‐ＳＯ３Ｍ、‐ＣＮ、塩素、‐ＯＣＨ３、‐ＮＨＣＨ３、‐Ｎ（Ｒ１４）２、‐ＳＯ３ＮＨ２、‐ＳＯ３Ｃ６Ｈ５、‐ＳＯ３Ｎ（Ｒ１４）２、‐ＣＯ２ＣＨ３、‐ＣＯＮ（Ｒ１４）２およびそれらの混合物からなる群より選択される；各Ｒ１４は独立してＣ１‐Ｃ８アルキルであり、Ｍは水素または塩形成カチオン、好ましくはナトリウム、カリウム、リチウムおよびそれらの混合物である。参考のためここに組み込まれる１９７６年６月８日付で発行されたBlochingらのＵＳ３，９６２，１１６参照
【００１６】
ｆ）下記式を有するクマリン類：
【化１１】
0004405091.tif 000012
上記式中各Ｒ１５は独立して水素、ハロゲン、Ｃ１‐Ｃ４アルキル、Ｃ１‐Ｃ４アルキルスルホネート、Ｃ１‐Ｃ４アルコキシおよびそれらの混合物である；Ｘは窒素または‐ＣＨ＝である；Ｙは水素、塩素、メチルおよびそれらの混合物である；Ｚは下記式を有する基を含んだクマリンである：
【化１２】
0004405091.tif 000013
上記式中各Ｒ１６は独立してＣ１‐Ｃ１２アルコキシ、Ｃ２‐Ｃ２アルケニルオキシ、ベンジルオキシであり、そのベンジルオキシはハロゲン、メチル、メトキシおよびそれらの混合物で場合により置換されている。本発明で蛍光増白剤として使用に適したクマリン類の詳しい説明については、１９７６年６月２９日付で発行されたSchlapferのＵＳ３，９６６，７５５参照。加えて、１９７２年２月２９日付で発行されたHamiltonのＵＳ３，６４６，０１５および１９８４年１１月２０日付で発行されたLlenadoのＵＳ４，４８３，７８０参照；双方とも参考のためここに組み込まれる。
【００１７】
本発明の一面によると、パッケージ２０は、パッケージ２０の内側の少くとも一部に設けられたライナー５０のような、輻射構造を更に有している。以下で更に詳しく記載されているように、輻射構造の輻射特性のうち１種以上は、顆粒物質３４の１種以上の輻射特性で既定のシフトまたは変化を生じるように選択される。ここで用いられている“輻射特性”という用語およびその派生語は、一定のライティングと幾何形態または向きとの組合せ条件下で、構造または物質により輻射される（例えば、放射、反射、透過または吸収される）電磁線（例えば、可視および／または非可視光）のタイプ、質または量に影響を与えるかまたはそれらを定量化するような構造または物質の性質に関する。例えば、構造または物質の分光光度曲線（即ち、電磁線の波長組成の関数としての構造または物質の色）および光度（カンデラ／ｍ２）がここでは輻射特性と考えられる。他の輻射特性には、白さインデックス、明るさインデックスおよびＣＩＥ１９７６Ｌ＊ａ＊ｂ＊カラーインデックスのような、対象から輻射される光のタイプ、質または量を特徴づけるように当業界で制定された様々なインデックスがある。輻射特性がここで比較されているときはいつも、その比較は構造または物質に対して実質的に類似した光源および幾何条件を用いて行われていると仮定される。
【００１８】
ライナー５０は、好ましくは、容器２２のトップエッジ５２近くからベース２４までおよぶ。ライナー５０の輻射特性は顆粒物質３４の１種以上の輻射特性を変えるように選択されるため、物質の化学組成を変えることなくその物質のユーザーにより多くアピールする。例えば、顆粒物質３４のユーザーはその物質で示されるものとはやや異なる色相を有した顆粒物質を好むかもしれず、その場合にはライナー５０は、以下で更に詳しく記載されているように、その物質との輻射相互作用で顆粒物質３４の色相に既定のシフトをもたらすように選択することができる。
【００１９】
顆粒物質３４の分光光度曲線を選択的に変えることが望まれる場合には、顆粒物質の分光光度曲線をシフトさせる適切なライナー５０を選択する前に、顆粒物質から輻射される可視光を最初に特徴づけることが有用である。輻射光は当業界で知られているいくつかの装置のうちいずれか１つを用いて特徴づけられる。例えば、Virginia,RestonのHunter Associates Laboratory,Inc.により製造されたCOLORQUESTＲ45/0 Spectrocolorimeterのような光センサーが、顆粒物質の分光光度曲線を調べるために用いうる。図４は、ライナー５０付きおよびなしのパッケージで、例示される顆粒洗濯洗剤からの輻射可視光についていくつかの分光光度プロットを示している。図４のプロットの対象であるパッケージ２０は１７ｃｍの高さ、約１３ｃｍの深さおよび約２２ｃｍの長さを有しており、深さおよび長さ寸法も容器２２の開口部３３を画定していた。洗濯洗剤が容器の開口部からみえるように蓋を持ち上げて、このパッケージはCOLORQUESTＲ45/0 Spectrocolorimeterの光源下で中央におかれ、そのとき容器内に入れた顆粒物質が光源の装置より約１０ｃｍ下におかれる。図４のスペクトルプロットは、ＣＩＥ１９７６Ｌ＊ａ＊ｂ＊スケールのようないくつかのカラー測定スケールのうち１つについても特徴づけられる。ＣＩＥ１９７６Ｌ＊ａ＊ｂ＊スケールは、直交座標でＬ＊、ａ＊およびｂ＊の量をプロットして作成されたAdams-Nickersonスペースの簡単な立方根バージョンである。Ｌ＊は明度を表わし、真っ白な１００の値から黒のゼロまでがあり、ａ＊は＋のとき赤色、ゼロのとき灰色および−のとき緑色を表わす。ｂ＊の値は＋のとき黄色、ゼロのとき灰色および−のとき青色を表わす。ライナーなしパッケージで洗濯洗剤から反射される光のスペクトルプロットは、ＣＩＥ１９７６Ｌ＊ａ＊ｂ＊カラースケールの直交座標において、約１３．５〜約１７．５のＬ＊値、約０．５〜約２．５のａ＊値および約６〜約７のｂ＊値で表わされる。更に好ましくは、ライナーなしパッケージで洗濯洗剤から反射される光のスペクトルプロットは、ＣＩＥ１９７６Ｌ＊ａ＊ｂ＊カラースケールの直交座標において、約１６のＬ＊値、約１．５のａ＊値および約＋７のｂ＊値で表わされ、これら後者のＬ＊、ａ＊、ｂ＊値は図５でもプロットされており、図４の対象であるライナーなしパッケージのスペクトルプロットに相当する。明らかなように、Ｌ＊、ａ＊およびｂ＊値の大きさはライティング条件に応じて変わる；しかしながら、各値間の関係は分析される物質に特徴的であると考えられる。比較のため、洗濯洗剤は単独で（即ち、パッケージ２０中ではなく）測定されたとき、約８０〜約９７のＬ＊値、約−４〜約＋４のａ＊値および約−８〜約＋８のｂ＊値を有している。
【００２０】
既に記載されたように、ライナー５０は好ましくはパッケージ２０内に貯蔵された顆粒物質３４の輻射特性を調整するように選択される。図４および５では、ライナー５０の選択が例示の洗濯洗剤に関して説明される。図４で示されているように、顆粒洗濯洗剤入りで着色ライナーなしのパッケージ２０は、４００ｎｍ（紫）〜７００ｎｍ（赤）で光度が徐々に増すスペクトルプロットを有している。しかしながら、“暗青色”ライナー５０付きの同パッケージ２０に貯蔵された洗濯顆粒は、約４３０〜約４６０ｎｍで明瞭なピークを生じる。換言すると、“暗青色”ライナー５０はパッケージ２０内に貯蔵された洗濯洗剤顆粒の分光光度プロットで好ましいシフトを生じた。洗濯洗剤の場合、輻射構造（例えば、ライナー５０）は好ましくは色が青であり、更に好ましくは、ライナー５０がCOLORQUESTＲ45/0 Spectrocolorimeterのような光センサーを用いて単独で測定されたときに、輻射構造は約４００〜約５００ｎｍで光度にピークがあるスペクトルプロットを有している。更に好ましくは、輻射構造は約４３０〜約４６０ｎｍで光度にピークを有している。洗濯洗剤の場合、Technical Association of the Pulp and Paper Industry発行のTAPPI 524 om-94で記載された試験のような標準カラー測定試験のいずれか１つに従い測定されたとき、顆粒が約７〜約９のＬ＊値、約−１〜＋１のａ＊値および約−８〜約−１０のｂ＊値を有するように、ライナー５０は好ましくはパッケージの開口部からみたときにおける顆粒の分光光度曲線を調整する。更に好ましくは、洗濯顆粒が着色ライナー５０を有するパッケージ２０の開口部からみられたときに、洗剤顆粒は約８のＬ＊値、約０のａ＊値および約−９のｂ＊値を有する。これら後者の値は図５でプロットされており、図４の対象であるパッケージおよびライナーでのスペクトルプロットに相当する。青色ライナーは、紫外線スペクトル近くに可視青色波長があることから、顆粒物質３４中に配合された蛍光増白剤の蛍光にも有益な影響を与えることがある。ライナー５０は好ましくは全体的に均一色で形成されるが、顆粒物質３４の１種以上の輻射特性で望ましいシフトを行わせるために、複数の色および／または色のパターンを付すと、ライナー５０は開口部３３からのライナーの深さの関数として様々な色合いをもたらせうると考えられる。
【００２１】
適切な分光光度分布のライナー５０を選択することに加えて、ライナー５０は拡散反射（即ち、可視光は様々な角度でライナー５０からはね返される）または正反射（即ち、可視光は高指向的にはね返される）を行うように選択してもよい。ライナー５０は、好ましくは、約４００〜約５００ｎｍの可視光を少くとも約５０％、更に好ましくは少くとも約７５％反射する。ライナー５０のおかげで、（反射または放射により）顆粒物質３４から輻射される可視光の光度は、好ましくは少くとも１つの可視波長で少くとも約１０％増加する。更に好ましくは、（反射または放射により）顆粒物質３４から輻射される可視光の光度は、好ましくは約４００〜約５００ｎｍのうち少くとも１つの可視波長で少くとも約２５％増加し、最も好ましくは顆粒物質から輻射される可視光の光度は、約４００〜約５００ｎｍのうち少くとも１つの可視波長で少くとも約５０％増加する。ここで用いられている“光度”という用語は、輻射波長の強度またはスペクトルエネルギーに関するものであり、カンデラ／ｍ２の単位で測定しうる。
【００２２】
更には、ライナー５０は非可視波長、特に約２００〜約４００ｎｍ、更に好ましくは約３００〜約４００ｎｍの紫外線波長で、その輻射特性について選択することができる。換言すると、ライナー５０の構造（例えば、物質、コーティングなど）および色は、配合されたいずれの蛍光増白剤も活性化させるために、顆粒物質３４への紫外線波長の反射率を最良にするように選択される。ライナー５０は、好ましくは、顆粒物質３４の蛍光増白剤を励起して可視光を放射させる少くとも１つの紫外線波長の少くとも約２５％、更に好ましくは少くとも約５０％を反射する。最も好ましくは、ライナー５０は、顆粒物質３４の蛍光増白剤を励起して可視光を放射させる紫外線スペクトルで、少くとも１つの波長の約７５％を反射する。
【００２３】
顆粒物質が洗濯洗剤であるとき、光度はTechnical Association of the Pulp and Paper Industry発行のTAPPI T452om-98で記載された試験操作に従い顆粒物質の明るさについて特徴づけられる。そこで記載されているように、明るさは特定のスペクトルおよび幾何特性の青色光（例えば、約４００〜約５１０ｎｍ）に関する反射率ファクターの数値的尺度である。このような明るさ試験は、青色スペクトル内の波長について輝度を特徴づけるためにある。青色光反射率が高くなるほど、通常顆粒物質は白くみえてくる。このようなTAPPI T452-om98試験は、白色物質を比較する上で単一数値インデックスを示す。洗濯洗剤が蛍光増白剤を含有しているならば、蛍光増白剤が存在しない場合よりも高い明るさ読取値が得られる。好ましくは、TAPPI T452-om98試験に従い測定されたとき、ライナー５０なしのパッケージ２０中における顆粒物質と比較した場合に、ライナー５０はパッケージ２０中に貯蔵された顆粒物質３４の明るさインデックスを少くとも約１０％、更に好ましくは少くとも約２５％増加させる。最も好ましくは、ライナー５０なしのパッケージ２０中における顆粒物質と比較した場合に、ライナー５０は明るさインデックスを少くとも約５０％増加させる。
【００２４】
洗濯洗剤のような顆粒物質の外観を特徴づけるためのもう１つのインデックスは、ＡＳＴＭ  Ｅ３１３で示された白さインデックスである。白さインデックスは白色またはほぼ白色標品の黄色さまたは白さの評定を示す。白さは、対象が白色として認められる色空間中の領域と関連している。白さの程度は、真っ白からの標品の逸脱度により測定される。好ましくは、ライナー５０なしのパッケージ２０中における顆粒物質と比較した場合に、ライナー５０はパッケージ２０内に貯蔵された顆粒物質の白さインデックスを少くとも約２５％、更に好ましくは少くとも約５０％増加させる。最も好ましくは、ライナー５０なしのパッケージ２０中における顆粒物質と比較した場合に、ライナー５０はパッケージ２０内に貯蔵された顆粒物質の白さインデックスを少くとも約７５％増加させる。
【００２５】
ライナー５０は厚紙、ホイルなどから形成して、適切な接着剤で容器２２の内側へ接着させることができる。ライナー５０は、顆粒物質３４の２以上の輻射特性に同時に影響を与えうる紫外線反射コーティングのようなコーティングを１以上更に有してもよい。例えば、ライナー５０の紫外線反射率は洗濯顆粒により放射される可視光に影響を与えうるが、ライナー５０の可視色も顆粒物質３４により輻射される可視光の輻射特性に更に影響を与えうる。加えて、ライナー５０の可視色は、顆粒物質３４と一緒にパッケージ２０中に貯蔵されている、その顆粒物質とは区別される第二顆粒物質を向上させるように選択してもよい。第二顆粒物質は、例えば大きさ、組成、色、顆粒幾何形状などが異なっていてよい。ライナー５０の色は洗濯洗剤でスペクルの視覚的外観を向上させるように選択してよく、一方ライナーの紫外線輻射特性は洗濯洗剤に配合される蛍光増白剤に応じて選択される。ライナー５０がここでは例として説明されたきたが、コーティング（例えば、インキ、薄いポリマーフィルムなど）が厚紙ライナー５０の代わりにまたはそれと一緒に容器２２の内側へ直接適用しうることは明らかであろう。更には、顆粒物質３４へ向けて輻射される可視光のタイプおよび量を更に向上させるために、蛍光増白剤はライナー５０へ加えてもよい。
【００２６】
本発明の好ましい態様の先の記載は説明および記載の目的で提示されている。それは包括的でも、または開示された態様そのものへ本発明を限定するものでもない。修正または変更も可能であって、上記開示から当業者により考えられ、記載された態様は本発明の原理およびその実施を最もよく説明するように選択および記載された。本発明の範囲はここに添付された請求の範囲により規定されることになる。
【図面の簡単な説明】
【図１】  本発明で使用に適したパッケージの斜視図である。
【図２】  図１のパッケージの斜視図であり、蓋は持ち上げられた位置にある。
【図３】  ３‐３線沿いに見た図１のパッケージの拡大部分断面側面図である。
【図４】  ライナー付きおよび無しパッケージ中における例示洗濯洗剤からの輻射光の分光光度プロットである。
【図５】  図４の分光光度プロットのＣＩＥ１９７６Ｌ＊ａ＊ｂ＊カラープロットである。
【図１】
0004405091.tif 000014
【図２】
0004405091.tif 000015
【図３】
0004405091.tif 000016
【図４】
0004405091.tif 000017
【図５】
0004405091.tif 000018